(57)【要約】【課題】断熱扉と、センターシールと、パッキンとに囲まれた空間内で結露が発生することを抑制する。【解決手段】冷蔵庫１の貯蔵庫本体１０に設けられている開口１０Ａを開閉する観音開き式の一対の断熱扉１５Ａ、１５Ｂと、一対の断熱扉１５Ａ，１５Ｂそれぞれに設けられ、一対の断熱扉１５Ａ，１５Ｂの間をシールするセンターシール４０と、一対の断熱扉１５Ａ，１５Ｂのそれぞれに設けられ、センターシール４０との間をシールするパッキン２０と、断熱扉１５Ａ，１５Ｂと、センターシール４０と、パッキン２０と、で囲まれた第２空間５６内に設けられ、第２空間５６に位置する断熱扉１５Ａ，１５Ｂ、センターシール４０、及びパッキン３０の少なくとも一つの温度が変化することを抑制する断熱部材６０と、を備えた冷蔵庫１の扉装置１１。【選択図】図４
2019035551.tif 000002
【特許請求の範囲】
【請求項１】
冷却貯蔵庫の貯蔵庫本体に設けられている開口を開閉する観音開き式の一対の断熱扉と、
前記一対の断熱扉のそれぞれに設けられ、前記一対の断熱扉の間をシールするセンターシールと、
前記一対の断熱扉のそれぞれに設けられ、前記センターシールとの間をシールするパッキンと、
前記断熱扉と、前記センターシールと、前記パッキンと、で囲まれた空間内に設けられ、前記空間に位置する前記断熱扉、前記センターシール、及び前記パッキンの少なくとも一つの温度が変化することを抑制する温度変化抑制部と、を備えた冷却貯蔵庫の扉装置。
【請求項２】
前記温度変化抑制部は、前記断熱扉に設けられると共に断熱性の材料からなる断熱部材である請求項１に記載の冷却貯蔵庫の扉装置。
【請求項３】
前記断熱扉には、前記センターシールを保持する保持部材が取り付けられており、
前記断熱部材は、前記断熱扉と前記保持部材との境界部分を塞ぐように取り付けられている、請求項２に記載の冷却貯蔵庫の扉装置。
【発明の詳細な説明】
【技術分野】
【０００１】
本発明は、冷却貯蔵庫の扉装置に関する。
【背景技術】
【０００２】
従来、貯蔵庫本体に設けられる左右一対の観音開き式の断熱扉と、両断熱扉間をシールするためのセンターシールと、を備える冷却貯蔵庫の扉装置が知られている（例えば、特許文献１参照）。特許文献１に記載のセンターシールは、各断熱扉の揺動端側で相手と対向した側面に、保持部材を介して装着されている。また、各断熱扉の揺動端側の縦縁には、パッキンが取り付けられている。
【０００３】
上記した冷却貯蔵庫の扉装置においては、一対の断熱扉が閉じられると、両断熱扉に装着されたセンターシール同士が密着することにより、両断熱扉の間がシールされるようになっている。また、センターシールとパッキンとが密着することにより、センターシールとパッキンとの間がシールされるようになっている。
【先行技術文献】
【特許文献】
【０００４】
【特許文献１】特開２０１３−８８０２５号公報
【発明の概要】
【発明が解決しようとする課題】
【０００５】
上述した特許文献１に記載の扉装置によると、保持部材と断熱扉との隙間から湿気を含んだ空気が、断熱扉と、センターシールと、パッキンとに囲まれた空間内に流入することが懸念される。すると、湿気を含んだ空気が、冷却貯蔵庫内において冷却された部材の表面と接触することにより、結露することが懸念される。
【０００６】
本発明は上記のような事情に基づいて完成されたものであって、断熱扉と、センターシールと、パッキンとに囲まれた空間内で結露が発生することを抑制することを目的とする。
【課題を解決するための手段】
【０００７】
上記課題を解決するために、本発明の冷却貯蔵庫の扉装置は、冷却貯蔵庫の貯蔵庫本体に設けられている開口を開閉する観音開き式の一対の断熱扉と、前記一対の断熱扉のそれぞれに設けられ、前記一対の断熱扉の間をシールするセンターシールと、前記一対の断熱扉のそれぞれに設けられ、前記センターシールとの間をシールするパッキンと、前記断熱扉と、前記センターシールと、前記パッキンと、で囲まれた空間内に設けられ、前記空間に位置する前記断熱扉、前記センターシール、及び前記パッキンの少なくとも一つの温度が変化することを抑制する温度変化抑制部と、を備える。
【０００８】
上記の構成によれば、断熱扉と、センターシールと、パッキンと、で囲まれた空間内に外気又は冷気が流入した場合でも、断熱扉、センターシール、及びパッキンの少なくとも一つの温度が変化することが抑制される。これにより、断熱扉と、センターシールと、パッキンと、で囲まれた空間内で結露が発生することを抑制することができる。
【０００９】
また、前記温度変化抑制部は、前記断熱扉に設けられると共に断熱性の材料からなる断熱部材である構成とすることができる。上記の構成によれば、断熱扉と、センターシールと、パッキンと、で囲まれた空間内で、断熱扉に結露が発生することを抑制することができる。
【００１０】
また、前記断熱扉には、前記センターシールを保持する保持部材が取り付けられており、前記断熱部材は、前記断熱扉と前記保持部材との境界部分を塞ぐように取り付けられている構成とすることができる。上記の構成によれば、断熱扉と保持部材との境界部分が断熱部材によって塞がれているので、断熱扉と保持部材との境界部分から湿気を含んだ外気が冷却貯蔵庫内に侵入することを抑制することができる。これにより、断熱扉と、センターシールと、パッキンと、で囲まれた空間内で、断熱扉に結露が発生することを一層抑制することができる。
【発明の効果】
【００１１】
本発明によれば、断熱扉と、センターシールと、パッキンとに囲まれた空間内で結露が発生することを抑制することができる。
【図面の簡単な説明】
【００１２】
【図１】実施形態１に係る冷蔵庫の正面図
【図２】図１の冷蔵庫において断熱扉を取り外した状態を示す正面図
【図３】断熱扉の裏面を示す斜視図
【図４】断熱扉の開閉側端部近傍を示す断面図（図１に示すＩＶ−ＩＶ線の断面図）
【図５】断熱扉の裏面を示す背面図
【図６】実施形態２に係る断熱扉の開閉側端部近傍を示す断面図
【図７】伝熱部材を示す斜視図
【発明を実施するための形態】
【００１３】
＜実施形態１＞
本発明を冷蔵庫１（冷却貯蔵庫の一例）に適用した実施形態１を図１から図５によって説明する。本実施形態に係る冷蔵庫１は、センターピラーレスの４ドア式の冷蔵庫１である。図１に示すように、冷蔵庫１は貯蔵庫本体１０と、貯蔵庫本体１０の前面（図１において紙面手前側の面）に上下に並んで設けられている二組の扉装置１１と、貯蔵庫本体１０の上に設けられている機械室１２と、貯蔵庫本体１０の底面の四隅に設けられている脚体１３と、を備える。
【００１４】
貯蔵庫本体１０は、図２に示すように、前側（紙面手前側）に開口する断熱箱によって構成されている。貯蔵庫本体１０には、左右方向に延びる部材２１によって、上下に並ぶ二つの開口１０Ａが形成されている。なお、各貯蔵室１４には左右方向の中央において上下方向に延びる柱状の部材（所謂センターピラー）は設けられていない。機械室１２には冷却サイクルを構成する冷却装置（図示せず）が収容されている。冷却装置は蒸発器や循環ファンなどを備えており、冷却装置が稼働すると蒸発器によって空気が冷却され、冷却された空気（冷気）が循環ファンによって貯蔵室１４内に循環供給されることによって貯蔵室１４内が冷却される。
【００１５】
次に、扉装置１１について説明する。図１に示すように、各扉装置１１は左右一対の観音開き式の断熱扉１５Ａ，１５Ｂと、断熱扉１５Ａ，１５Ｂの各開閉側端部の略全高に亘って装着されているセンターシール４０，４０と、を備えている。一対の断熱扉１５Ａ，１５Ｂは左右対称に形成されている。左側の断熱扉１５Ａは左側端部の上下がｈ１６Ａによって貯蔵庫本体１０に開閉可能に軸支されている。同様に、右側の断熱扉１５Ｂは右側端部の上下がヒンジ１６Ｂによって貯蔵庫本体１０に軸支されている。これにより、一対の断熱扉１５Ａ，１５Ｂは、対応するヒンジ１６Ａ，１６Ｂを回動軸として回動することで、開口１０Ａを開閉可能な構成となっている。また、各断熱扉１５の正面において互いに隣接した位置には開閉操作用の把手１７が設けられている。
【００１６】
以降の説明では各断熱扉１５Ａ，１５Ｂにおいて左右方向の両側のうちヒンジ１６Ａ，１６Ｂが設けられている側のことを開閉軸側というものとする。また、断熱扉１５Ａ，１５Ｂの左右方向の端部のうちヒンジ１６Ａ，１６Ｂが設けられていない方の端部、言い換えると相手側の断熱扉と対向する端部のことを開閉側端部というものとする。例えば右側の断熱扉１５Ｂの場合は右側が開閉軸側であり、左側の端部が開閉側端部である。一対の断熱扉１５Ａ，１５Ｂが閉じた状態では、一対の断熱扉１５Ａ，１５Ｂの各々に設けられたセンターシール４０が互いに当接することで、一対の断熱扉１５Ａ，１５Ｂ間がシールされる構成となっている。
【００１７】
一対の断熱扉１５Ａ，１５Ｂは左右対称な形状をなしているものの、それ以外は同じ構成とされる。以降の説明では、右側の断熱扉１５Ｂの構成について主に説明する。断熱扉１５Ｂは、ステンレス鋼板等の金属製の外装板１８（図１参照）と、合成樹脂製の内装板１９（図３参照）と、矩形枠状に形成されているパッキン２０（図３参照）と、センターシール４０を保持する保持部材２４（図４参照）と、を備えている。図４に示すように断熱扉１５Ｂは外装板１８と内装板１９とによって箱状に構成されており、内側の中空部に硬質ポリウレタンなどの発泡樹脂からなる図示しない断熱材が発泡充填されている。
【００１８】
図４に示すように、内装板１９の外縁部には、パッキン２０が装着されるパッキン装着溝１５Ｃが内装板１９の外周に沿って矩形枠状に形成されている。パッキン２０は軟質樹脂などの弾性部材によって形成されている。パッキン２０は閉扉時に貯蔵庫本体１０の前面の開口縁部に密着して断熱扉１５Ｂと貯蔵庫本体１０との間をシールする。ただし、パッキン２０のうち開閉側端部側の辺に沿って延びている部分であるパッキン縁部２０Ａは断熱扉１５Ｂと貯蔵庫本体１０との間をシールするものではなく、センターシール４０に設けられているヒレ部４２（図４参照）が摺動可能に接するものである。
【００１９】
パッキン２０はゴム製であって、図４に示すように、パッキン装着溝１５Ｃに装着される取付脚２０Ｂを有している。また、図５に示すように、パッキン２０のうち、開閉側端部側の辺と異なる部分に配された部分の内部には、詳細には図示しない第１マグネット室が設けられており、この第１マグネット室には扁平な角柱状の第１マグネット２５が挿入されている。第１マグネット２５は、磁性を有する金属製であってもよく、また、フェライト磁石であってもよく、任意の磁性体を適宜に採用することができる。一方、パッキン２０のうち、開閉側端部側の辺に沿って延びる部分であるパッキン縁部２０Ａには、第１マグネット２５は配されていない。
【００２０】
第１マグネット２５は、その磁力によって、貯蔵庫本体１０を構成する金属部材に吸着するようになっている。これにより、第１マグネット２５が配されたパッキン２０が、貯蔵庫本体１０に密着するようになっている。
【００２１】
保持部材２４は、センターシール４０を保持する部材である。保持部材２４は、図４に示すように、断熱扉１５Ｂの開閉側端部の端面であって相手側の断熱扉１５Ａと対向する端面に全高に亘って装着されているベース２４Ａと、ベース２４Ａとの間に空間を形成してベース２４Ａに取り付けられているスライド蓋２４Ｂと、を備えている。ベース２４Ａは上述した断熱扉１５Ｂの端面にネジ５１によって固定されている。ベース２４Ａには被掛止部２６、ヒータ保持溝２７、掛止部２８、及び、掛止部２９が形成されている。被掛止部２６はセンターシール４０に形成されている掛止部４１Ｄが嵌ることができるように溝状に形成されている。被掛止部２６は断熱扉１５Ｂの開閉側端部よりも庫内側に位置している。
【００２２】
ヒータ保持溝２７は、被掛止部２６より庫外側に設けられている。ヒータ保持溝２７には結露防止用のヒータ３０が挿通されている。図３に示すように、ヒータ３０に接続されているリード線５２はヒータ３０から断熱扉１５Ｂの内側を通されてヒンジ１６Ｂを取り付けるための穴から外に延びている。掛止部２８はスライド蓋２４Ｂに形成されている被掛止部３２に嵌ってスライド蓋２４Ｂを保持するための凸条の突起である。また、掛止部２９はスライド蓋２４Ｂに形成されている被掛止部３３に嵌ってスライド蓋２４Ｂを保持するための凸条の突起である。
【００２３】
スライド蓋２４Ｂには被掛止部３１、被掛止部３２、及び、被掛止部３３が形成されている。被掛止部３１はセンターシール４０に形成されている掛止部４１Ｂが嵌ることができるように溝状に形成されている。また、被掛止部３２は、ベース２４Ａに形成されている掛止部２８が嵌ることができるように溝状に形成されており、被掛止部３３はベース２４Ａに形成されている掛止部２９が嵌ることができるように溝状に形成されている。スライド蓋２４Ｂは、ベース２４Ａの掛止部２８及び２９が被掛止部３２及び３３にそれぞれ嵌ることでベース２４Ａに保持されている。なお、スライド蓋２４Ｂは、高さ方向（図４において紙面垂直方向）における一方からベース２４Ａにスライド挿入されることでベース２４Ａに取り付けられる。
【００２４】
次に、センターシール４０の構成について説明する。センターシール４０は、図４に示すように、相手側の断熱扉１５Ａに装着されているセンターシール４０に当接して二つの断熱扉１５Ａ，１５Ｂの開閉側端部間をシールするものである。センターシール４０は、例えば、オレフィン系エラストマーなどの軟質樹脂からなり、相手側のセンターシール４０に向けて変形し易い構造となっている。なお、図４では、断熱扉１５Ａ，１５Ｂのそれぞれに取り付けられたセンターシール４０が、相手側の断熱扉１５Ａ，１５Ｂに取り付けられたセンターシール４０に向けて変形した状態を示している。
【００２５】
図４に示すように、センターシール４０は当接部４１Ａ、掛止部４１Ｂ、第２マグネット室４１Ｃ、掛止部４１Ｄ、及びヒレ部４２を備える。当接部４１Ａは相手側の断熱扉１５Ａに装着されているセンターシール４０に当接する部分である。当接部４１Ａは、図４に示すように、断熱扉１５Ｂの開閉側端部より庫内側、且つ、開閉側端部より相手側の断熱扉１５Ａ側に位置している。図４に示すように、当接部４１Ａは角形の筒状に形成されており、内側の空間が第２マグネット室４１Ｃとされている。第２マグネット室４１Ｃには扁平な角柱状の第２マグネット４６（図４参照）が相手側の第２マグネット４６と吸引し合う態様で挿入されている。吸引し合う形態とは、例えば相手側の第２マグネット４６がＳ極であればＮ極となる形態である。第２マグネット４６は、磁性を有する金属製であってもよく、また、フェライト磁石であってもよい。
【００２６】
掛止部４１Ｂは、図４に示すように、当接部４１Ａの庫外側の端部から庫外方向に向かって断熱扉１５Ｂ側に傾斜して延びている。掛止部４１Ｂの先端は断熱扉１５Ｂ側に曲がっており、その先端部は上方から見てＴ字状に形成されている。また、センターシール４０は、断熱扉１５Ｂの開閉側端部より庫内側において当接部４１Ａから断熱扉１５Ｂの開閉軸側に延出されている。図４に示すように、センターシール４０のうち開閉軸側の延出端部には、掛止部４１Ｄが庫外側に延出されており、この掛止部４１Ｄの延出された先がパッキン縁部２０Ａより手前で庫外方向に曲がって保持部材２４に固定されている。掛止部４２Ｄの先端部は上方から見てＴ字状に形成されている。
【００２７】
ヒレ部４２は庫内と庫外とを仕切るものである。図４に示すように、ヒレ部４２は、断熱扉１５Ｂ（一方の断熱扉）の開閉側端部より庫内側において、センターシール４０のうち断熱扉１５Ｂ開閉軸側の端部から、断熱扉１５Ｂの開閉軸側に延出し、延出した端部の庫外側の面がパッキン縁部２０Ａ（断熱扉１５Ｂの一部）に接している。なお、ヒレ部４２の厚みは、センターシール４０のうち断熱扉１５Ｂ開閉軸側の端部の厚みより薄くなっている。センターシール４０が断熱扉１５Ｂに取り付けられた状態では、図４に示すように、ヒレ部４２は、パッキン縁部２０Ａに押圧されることで、弾性変形した状態となっており、左右方向に沿って延びる姿勢で保持されている。これにより、ヒレ部４２は、パッキン縁部２０Ａに対して弾性的に当接することで、パッキン縁部２０Ａに対して密着する構成となっている。
【００２８】
また、図４に示すように、ヒレ部４２は先端部の庫外側の面がパッキン縁部２０Ａに摺動可能に接している。ヒレ部４２においてパッキン縁部２０Ａに接している幅は、断熱扉１５Ａ，１５Ｂが閉じられた状態で、断熱扉１５Ａ，１５Ｂの一方に配設されたセンターシール４０が、断熱扉１５Ａ，１５Ｂの他方に取り付けられたセンターシール４０に向けて変形しても、ヒレ部４２の先端部がパッキン縁部２０Ａに接している状態を維持できる寸法である。
【００２９】
図４に示すように、センターシール４０は掛止部４１Ｂがスライド蓋２４Ｂの被掛止部３１に嵌まり、且つ、掛止部４１Ｄがベース２４Ａの被掛止部２６に嵌るように高さ方向から保持部材２４にスライド挿入されて保持部材２４に保持される。センターシール４０が保持部材２４に保持されると、センターシール４０と保持部材２４によって囲まれた第１空間５５が形成されると共に、ヒレ部４２の庫外側に、断熱扉１５Ｂの外装板１８と、センターシール４０と、パッキン２０のパッキン縁部２０Ａと、によって囲まれた第２空間５６が形成される。
【００３０】
図４に示すように、左右の断熱扉１５Ａ，１５Ｂを閉じると二つの第２マグネット４６が互いに吸引し合うことによって、各センターシール４０が相手側のセンターシール４０に向けて変形し、センターシール４０の当接部４１Ａ同士が当接して二つの断熱扉１５Ａ，１５Ｂの開閉側端部間がシールされる。このときヒレ部４２は庫外側の面がパッキン縁部２０Ａに接したまま相手側のセンターシール４０に向けて移動する。一方、断熱扉１５Ａ，１５Ｂを開くと、二つの第２マグネット４６，４６の吸引し合う力が低下することにより、センターシール４０が弾性力によって元の形状に復帰する。このとき、ヒレ部４２は庫外側の面がパッキン縁部２０Ａに接したまま開閉軸側に移動する。
【００３１】
第１マグネット２５の磁力、及び第２マグネット４６の磁力は、第１マグネット２５が貯蔵庫本体１０に吸着する力よりも、第２マグネット４６同士が互いに吸引し合う力の方が小さくなるように設定されている。
【００３２】
さて、上記した第２空間５６は、断熱扉１５Ｂと、センターシール４０と、パッキン縁部２０Ａとによって囲まれた空間となっている。外装板１８のうち、第２空間５６に面した部分には、角柱状をなす断熱部材６０（温度変化抑制部の一例）が配設されている。換言すると、外装板１８のうち第２空間５６に露出する面が、断熱部材６０によって覆われている。断熱部材６０は、断熱扉１５Ｂの開閉側端部に上下方向（図４において紙面を貫通する方向）に延びて配されている。断熱部材６０のうち、断熱扉１５Ｂの開閉側端部側は、保持部材２４のベース２４Ａと接触している。断熱部材６０と外装板１８とは、ねじ止め、接着、リベット締め等公知の手法により固定されている。断熱部材６０を構成する材料としては、公知の材料を適宜に採用することができる。
【００３３】
上記したように、ベース２４Ａは、断熱扉１５Ｂの開閉側端部の端面であって相手側の断熱扉１５Ａと対向する端面に全高に亘って装着されている。ベース２４Ａのうち庫内側の端部は、断熱扉１５Ｂの庫内側の端面よりも庫内方向に突出している。これにより、断熱扉１５Ｂの外装板１８のうち庫内側の面と、保持部材２４のベース２４Ａとは、冷蔵庫１の庫内において、直交する配置とされている。断熱部材６０は、断熱扉１５Ｂの外装板１８と、保持部材２４のベース２４Ａとの境界部分を塞ぐようにして、断熱扉１５Ｂに取り付けられている。換言すると、角柱状をなす断熱部材６０は、冷蔵庫１の庫内において直交する配置となっているベース２４Ａと外装板１８との双方に接するように配されている。断熱部材６０は、ベース２４Ａと外装板１８との双方に密着するように固定されていてもよい。例えば、断熱部材６０は、ベース２４Ａと外装板１８の双方に接着されていてもよい。
【００３４】
次に、本実施形態の作用効果について説明する。本実施形態によれば、冷蔵庫１の扉装置１１は、冷蔵庫１の貯蔵庫本体１０に設けられている開口１０Ａを開閉する観音開き式の一対の断熱扉１５Ａ、１５Ｂと、一対の断熱扉１５Ａ，１５Ｂのそれぞれに設けられ、一対の断熱扉１５Ａ，１５Ｂの間をシールするセンターシール４０，４０と、一対の断熱扉１５Ａ，１５Ｂのそれぞれに設けられ、センターシール４０，４０との間をシールするパッキン縁部２０Ａ，２０Ａと、断熱扉１５Ａ，１５Ｂと、で囲まれた第２空間５６内に設けられ、第２空間５６に位置する断熱扉１５Ａ，１５Ｂ、センターシール４０、及びパッキン縁部２０Ａの少なくとも一つの温度が変化することを抑制する断熱部材６０と、を備える。
【００３５】
上記の構成によれば、断熱扉１５Ａ，１５Ｂと、センターシール４０と、パッキン縁部２０Ａと、で囲まれた第２空間５６内に外気又は冷気が流入した場合でも、断熱部材６０によって、断熱扉１５Ａ，１５Ｂ、センターシール４０、及びパッキン縁部２０Ａの少なくとも一つの温度が変化することが抑制される。これにより、断熱扉１５Ａ，１５Ｂと、センターシール４０と、パッキン縁部２０Ａと、で囲まれた第２空間５６内で結露が発生することを抑制することができる。
【００３６】
また本実施形態では、断熱性の材料からなる断熱部材６０が断熱扉１５Ａ，１５Ｂに設けられている。
【００３７】
上記の構成によれば、第２空間５６内で、断熱扉１５Ａ，１５Ｂに結露が発生することを抑制することができる。
【００３８】
また、断熱扉１５Ａ，１５Ｂには、センターシール４０を保持する保持部材２４が取り付けられている。保持部材２４はベース２４Ａと、このベース２４Ａに取り付けられるスライド蓋２４Ｂと、を有する。断熱部材６０は、断熱扉１５Ａ、１５Ｂと、保持部材２４のベース２４Ａとの境界部分を塞ぐように取り付けられている。これにより、断熱扉１５Ａ，１５Ｂとベース２４Ａとの境界部分が断熱部材６０によって塞がれているので、断熱扉１５Ａ，１５Ｂとベース２４Ａとの境界部分から湿気を含んだ外気が冷蔵庫１内に侵入することを抑制することができる。これにより、断熱扉１５Ａ，１５Ｂと、センターシール４０と、パッキン縁部２０Ａと、で囲まれた第２空間５６内で、断熱扉１５Ａ，１５Ｂに結露が発生することを一層抑制することができる。
【００３９】
また、本実施形態に係るセンターシール４０には、冷蔵庫１内に向けて突出する部材が設けられていない。冷蔵庫１内に向けて突出する部材がセンターシール４０に設けられていると、冷蔵庫１内に湿気を含んだ外気が侵入した場合でも、冷蔵庫１内に向けてセンターシール４０から突出する部材において結露が発生することがないので、結露の起点を減少させることができる。
【００４０】
また、本実施形態においては、断熱扉１５Ａ，１５Ｂの開閉側端部側に配されたパッキン縁部２０Ａには、第１マグネット２５が配されていない。一般に、ゴム製であるパッキン２０の比熱に比べて、金属製又はフェライトである第１マグネット２５の比熱は小さいため、結露の起点となりやすい。本実施形態においては、パッキン縁部２０Ａには、第１マグネット２５が配されていないため、冷気が冷蔵庫１内に侵入した場合でも、パッキン縁部２０Ａにおいて結露が発生することを抑制することができる。マグネットを配設しない構成とすることにより、パッキン縁部２０Ａを含むパッキン２０の製造コストを低減させることができる。
【００４１】
また、本実施形態においては、第１マグネット２５が貯蔵庫本体１０に吸着する力よりも、第２マグネット４６同士が互いに吸引し合う力の方が小さくなるように、第１マグネット２５の磁力、及び第２マグネット４６の磁力が設定されている。これにより、断熱扉１５Ａ，１５Ｂの一方を開いた場合に、他方の断熱扉１５Ａ，１５Ｂが、第２マグネット４６同士の吸着力によって追従して開いてしまうことが抑制される。
【００４２】
＜実施形態２＞
次に、本発明の実施形態２を図６及び図７によって説明する。本実施形態に係るセンターシール１４０は、図６に示すように、ヒレ部４２と、支持部４３と、第１リップ部４４と、第２リップ部４５と、を備えている。
【００４３】
支持部４３は第１リップ部４４及び第２リップ部４５を支持する部材である。支持部４３は、センターシール４０のうちヒレ部４２が延びる基端部から庫内側に延出されている。支持部４３の先端部には第１リップ部４４及び第２リップ部４５が全高に亘って一体に形成されている。
【００４４】
第１リップ部４４は庫内側から当接部４１Ａに向かって流れる冷気から当接部４１Ａを遮蔽するためのものである。図６に示すように第１リップ部４４は支持部４３の先端から相手側の断熱扉１５Ａに向かって庫外側に傾斜している。なお、本実施形態では閉扉時に隣り合う２つの第１リップ部４４，４４の先端部同士が重なり合わない構成であるが、閉扉時に２つの第１リップ部４４，４４の先端部同士が重なり合う構成であってもよい。
【００４５】
次に、第２リップ部４５の構成について説明する。第２リップ部４５は庫内側からヒレ部４２に向かって流れる冷気からヒレ部４２を遮蔽するためのものである。図６に示すように第２リップ部４５は支持部４３の先端から開閉軸側に向かって庫外側に延びている。また、図５に示すように第２リップ部４５の先端はヒレ部４２及びパッキン２０に密着しておらず、ヒレ部４２及びパッキン２０から庫内側に離間している。第２リップ部４５は庫内側から見てヒレ部４２全体を覆っている。つまり、庫内側から見るとヒレ部４２は第２リップ部４５に覆われて全体が視認不能とされる
【００４６】
本実施形態に係るパッキン１２０は、図６に示すように、断熱扉１５Ａ，１５Ｂの開閉側端部の辺に沿って延びるパッキン縁部１２０Ａを有する。パッキン縁部１２０Ａの庫内側の位置に、第１マグネット室１２０Ｃが形成されている。第１マグネット室１２０Ｃには扁平な角柱状の第１マグネット１２５が挿入されている。
【００４７】
図６に示すように、各断熱扉１５Ａ，１５Ｂは、伝熱部材７０（温度変化抑制部材の一例）を備える。伝熱部材７０は金属板材を所定の形状にプレス加工してなる。伝熱部材７０を構成する金属としては、銅、銅合金、アルミニウム、アルミニウム合金、ステンレス鋼等、必要に応じて任意の金属を適宜に選択できる。伝熱部材７０の表面にはメッキ層が形成されていてもよい。伝熱部材７０は、上下方向（図６において紙面を貫通する方向）に細長く延びた形状をなしている。伝熱部材７０は、保持部材２４のベース２４Ａと、断熱扉１５Ａ，１５Ｂの外装板１８との間に挟まれた状態でネジ５１によって固定される固定部７１と、センターシール１４０のヒレ部４２とパッキン１２０のパッキン縁部１２０Ａとの間に挟まれた状態で保持される放熱部７２と、固定部７１と放熱部７２とを連結する連結部７３と、を有する。
【００４８】
図７に示すように、固定部７１は細長く延びる板状をなしている。固定部７１には、固定部７１の長手方向に間隔を空けて複数の貫通孔７４が形成されている。貫通孔７４内にネジ５１が挿入された状態で、固定部７１が外装板１８に固定されるようになっている。固定部７１は、固定部７１の長手方向に沿って延びる複数のスリット７５を有する。スリット７５は、固定部７１を貫通して形成されている。スリット７５は、固定部７１の長手方向に沿って細長く延びて形成されている。スリット７５の長さ寸法は略同じに設定されている。固定部７１には、固定部７１の長手方向に沿って間隔を空けて複数のスリット７５が並ぶスリット列が形成されており、スリット列が固定部７１の長手方向にと直交する方向に複数列（本実施形態では３列）に並んで形成されている。１列目のスリット７５と、３列目のスリット７５とは、固定部７１の長手方向と直交する方向に並んで配されており、２列目のスリット７５は、これら１列目及び３列目のスリット７５と、固定部７１の長手方向についてずれた位置に配されている。これにより、スリット７５は、固定部７１の長手方向と直交する方向についてジグザグ状に並んでいる。
【００４９】
固定部７１の近傍には、保持部材２４に配設されたヒータ３０が位置している。これにより、ヒータ３０で発生した熱は、保持部材２４のベース２４Ａに伝達されて、ベース２４Ａから固定部７１へと伝達されるようになっている。
【００５０】
図６に示すように、連結部７３は、固定部７１の端部から２回直角曲げされた状態で、クランク状に形成されている。連結部７３は、第２空間５６内に位置して配されている。連結部７３の端部のうち、固定部７１と反対側の端部には、放熱部７２が直角曲げされた状態で形成されている。これにより、固定部７１へ伝達された熱は、連結部７３を介して放熱部７２へと伝達されるようになっている。放熱部７２には、ヒレ部４２が接触すると共に、パッキン１２０のパッキン縁部１２０Ａが接触している。パッキン縁部１２０Ａのうち放熱部７２が接触している部分の近傍には、第１マグネット室１２０Ｃが設けられており、この第１マグネット室１２０Ｃには第１マグネット１２５が配されている。これにより、放熱部７２は、ヒレ部４２及び第１マグネット１２５と、伝熱的に接続されている。換言すると、放熱部７２に伝達された熱は、ヒレ部４２及び第１マグネット１２５に伝達可能になっている。
【００５１】
上記以外の構成については、実施形態１と略同様なので、同一部材については同一符号を付し、重複する説明を省略する。
【００５２】
本実施形態によれば、ヒータ３０で発生した熱は、ベース２４Ａ、固定部７１、連結部７３、放熱部７２の順番で伝達され、放熱部７２からヒレ部４２及びパッキン縁部１２０Ａに伝達され、更にパッキン縁部１２０Ａから第１マグネット１２５に伝達される。これにより、ヒレ部４２、パッキン縁部１２０Ａ及び第１マグネット１２５の温度が低下することが抑制されるので、湿気を含んだ外気が冷蔵庫１内に侵入した場合でも、ヒレ部４２、パッキン縁部１２０Ａ及び第１マグネット１２５を起点に結露することが抑制される。また、本実施形態によれば、固定部７１には複数のスリット７５が形成されることにより、肉抜きされている。これにより、スリット７５が設けられていない場合に比べて固定部７１の体積が減少している。この結果、固定部７１の熱容量が減少するので、固定部７１の温度が高くなりやすくなっている。一般に、温度勾配が大きいほど、すなわち、高温の部分と低温の部分との間の温度差が大きいほど、伝熱速度が大きくなる。このため、本実施形態によれば、スリット７５を設けることで固定部７１の温度が高くなりやすくなっているので、高温の固定部７１から、低温の放熱部７２へと熱の移動速度が大きくなっている。この結果、放熱部７２と伝熱的に接続するヒレ部４２、パッキン縁部１２０Ａ及び第１マグネット１２５を起点に結露することが、一層抑制される。
【００５３】
＜他の実施形態＞
本発明は上記記述及び図面によって説明した実施形態に限定されるものではなく、例えば次のような実施形態も本発明の技術的範囲に含まれる。
（１）上記実施形態で説明したセンターシール４０の形状は一例である。センターシール４０の形状は、相手側のセンターシール４０に当接して断熱扉１５Ａ，１５Ｂの開閉側端部間をシールできる形状であればよく、適宜変更可能である。
（２）上記実施形態では冷却貯蔵庫として左右一対の断熱扉１５Ａ，１５Ｂが上下に二組設けられた４ドア式の冷蔵庫１を例に説明したが、これに限定されない。冷却貯蔵庫は、例えば左右一対の断熱扉１５Ａ，１５Ｂが一組だけ設けられた２ドア式の冷蔵庫であってもよい。
（３）上記実施形態では冷却貯蔵庫として冷蔵庫を例に説明したが、冷却貯蔵庫は冷凍庫であってもよく、また、冷蔵庫と冷凍庫の双方を備えた冷凍冷蔵庫であってもよい。
（４）上記実施形態１では、断熱部材６０は断熱扉１５Ａ，１５Ｂに取り付けられる構成としたが、これに限られず、センターシール４０に取り付けられる構成としてもよく、また、パッキン２０に取り付けられる構成としてもよい。また、実施形態１では、断熱部材６０は角柱状をなしていたが、これに限定されず、三角柱状等の多角形状でもよく、また、円筒形状等、任意の形状を適宜に選択することができる。
（５）上記実施形態１では、断熱部材６０は、保持部材２４のベース２４Ａと、断熱扉１５Ａ、１５Ｂの外装板１８との双方に接触して、保持部材２４と断熱扉１５Ａ，１５Ｂとの境界部分を塞ぐように配される構成としたが、これに限られず、断熱部材６０は、保持部材２４と断熱扉１５Ａ，１５Ｂとの境界部分から離間した位置に配される構成としてもよい、
（６）上記実施形態２では、金属製の伝熱部材７０によって、ヒータ３０の熱をセンターシール４０及びパッキン縁部１２０Ａに伝達する構成としたが、これに限定されず、ヒートパイプ等、任意の伝熱部材７０によってヒータ３０の熱をセンターシール４０及びパッキン縁部１２０Ａに伝達する構成としてもよい。
（７）上記実施形態２では、伝熱部材７０にはスリット７５が設けられる構成としたが、スリット７５は省略してもよい。
（８）上記実施形態２では、伝熱部材７０には、固定部７１の長手方向と交差する方向に３列に並ぶスリット列が形成されていたが、スリット列は、１列、２列、又は４列以上であってもよい。
【符号の説明】
【００５４】
１…冷蔵庫（冷却貯蔵庫）、１０…貯蔵庫本体、１０Ａ…開口、１１…扉装置、１５Ａ，１５Ｂ…断熱扉、２０，１２０…パッキン、２４…保持部材、４０，１４０…センターシール、５６…第２空間（空間）、６０…断熱部材（温度変化抑制部材）、７０…伝熱部材（温度変化抑制部材）
【図１】
2019035551.tif 000003
【図２】
2019035551.tif 000004
【図３】
2019035551.tif 000005
【図４】
2019035551.tif 000006
【図５】
2019035551.tif 000007
【図６】
2019035551.tif 000008
【図７】
2019035551.tif 000009